(57)【要約】【課題】現場での設置作業が容易で、且つ、廃材の処理を不要とする嵩上げ枠を提供する。【解決手段】  浄化槽１２のマンホール２２の高さを調整するための嵩上げ枠１６であって、山部を構成する一対の環状壁部当たりの伸長時の高さが異なる複数の蛇腹部３０，３２を備え、一対の環状壁部のうち一方の環状壁部３０ａ，３２ａは、縮長時に他方の環状壁部３０ｂ，３２ｂに沿って折り畳まれるものであり、山部の頂点には、他方の環状壁部３０ｂ，３２ｂの縁部を外方に屈曲し折り返して一方の環状壁部３０ａ，３２ａと連続させてなる突起３４，３６が設けられている。【選択図】  図５
2007030923.tif 000002
【特許請求の範囲】
【請求項１】
浄化槽のマンホールの高さを調整するための嵩上げ枠であって、
山部を構成する一対の環状壁部当たりの伸長時の高さが異なる複数の蛇腹部を備え、
前記一対の環状壁部のうち一方の環状壁部は、縮長時に他方の環状壁部に沿って折り畳まれるものであり、
前記山部の頂点には、前記他方の環状壁部の縁部を外方に屈曲し折り返して前記一方の環状壁部と連続させてなる突起が設けられていることを特徴とする嵩上げ枠。
【請求項２】
前記一対の環状壁部は、伸長時において互いに異なる曲率半径で湾曲しており、
前記一方の環状壁部の曲率半径は、前記他方の環状壁部の曲率半径よりも小さいことを特徴とする請求項１に記載の嵩上げ枠。
【請求項３】
当該嵩上げ枠の端部開口を含む面を基準面としたとき、
前記他方の環状壁部の前記基準面に対する傾斜角は、前記一方の環状壁部の前記基準面に対する傾斜角よりも大きいことを特徴とする請求項１又は２に記載の嵩上げ枠。
【発明の詳細な説明】
【技術分野】
【０００１】
本発明は、浄化槽のマンホールの嵩上げ枠に関する。
【背景技術】
【０００２】
浄化槽は、汚水を浄化するための装置である。例えば、家庭から出る生活廃水（台所、洗面所、お風呂などから出る廃水）を浄化する浄化槽は、地中に埋められて設置されることが多い。浄化槽の上面には、内部を点検する等の為にマンホールが設けられている。マンホールの蓋は、地表面と同じ高さに設置されるため、浄化槽のマンホールとこの蓋との間の高さを調整する必要がある。
【０００３】
そこで、従来から、例えば特許文献１に開示されているような嵩上げ枠が利用されている。この特許文献１に開示された嵩上げ枠では、マンホールと蓋との間隔は浄化槽の設置場所ごとに違っているため、その都度その間隔に合わせて現場で筒の切断が行われる。そして、残材も再利用しようとしている。
【特許文献１】特開２００４−１８９３２７号公報
【発明の開示】
【発明が解決しようとする課題】
【０００４】
しかしながら、上記従来の嵩上げ枠では、現場で筒の切断を行う必要があることから、設置作業に手間がかかるという問題があった。また、残材の高さによっては再利用が図れず、結局は廃材として処理されるという問題があった。
【０００５】
本発明は、上記した事情に鑑みて為されたものであり、現場での設置作業が容易で、且つ、廃材の処理を不要とする嵩上げ枠を提供することを課題とする。
【課題を解決するための手段】
【０００６】
本発明に係る嵩上げ枠は、浄化槽のマンホールの高さを調整するための嵩上げ枠であって、山部を構成する一対の環状壁部当たりの伸長時の高さが異なる複数の蛇腹部を備え、一対の環状壁部のうち一方の環状壁部は、縮長時に他方の環状壁部に沿って折り畳まれるものであり、山部の頂点には、他方の環状壁部の縁部を外方に屈曲し折り返して一方の環状壁部と連続させてなる突起が設けられていることを特徴とする。
【０００７】
この嵩上げ枠では、上記したように山部の頂点に、他方の環状壁部の縁部を外方に屈曲し折り返して一方の環状壁部と連続させてなる突起が設けられており、この突起が伸縮機能の逃げ代として機能する。従って、縮長時おいては突起が引っ張られて伸びることで、一方の環状壁部が他方の環状壁部に沿って折り畳まれた状態で強固に形状保持される。その結果、マンホールと蓋との間隔に合わせて、このように縮長させる山部の数と伸長させる山部の数とを調整することにより、高さを容易に調整可能であるため、現場での設置作業が容易になり、且つ、廃材の処理も不要となる。特に、山部を構成する一対の環状壁部当たりの伸長時の高さが異なる複数の蛇腹部を備えているため、高さ調整の自由度が増し、現場での設置作業が一層容易になる。
【０００８】
一対の環状壁部は、伸長時において互いに異なる曲率半径で湾曲しており、一方の環状壁部の曲率半径は、他方の環状壁部の曲率半径よりも小さいと好ましい。このようにすれば、縮長時において、突起の伸びにより曲率半径の大きい他方の環状壁部に曲率半径の小さい一方の環状壁部が沿って長さ合わせがされることで、強固な形状保持を容易に実現できる。
【０００９】
当該嵩上げ枠の端部開口を含む面を基準面としたとき、他方の環状壁部の基準面に対する傾斜角は、一方の環状壁部の基準面に対する傾斜角よりも大きいと好ましい。このようにすれば、一方の環状壁部の折り畳み及び張り戻しが容易になる。
【００１０】
突起に連続する部位における一方の環状壁部の厚さは、他の部位における一方の環状壁部の厚さよりも薄いと好ましい。このようにすれば、一方の環状壁部の折り畳み及び張り戻しが容易になる。
【００１１】
嵩上げ枠は、ポリエチレン製であって平均厚さが２ｍｍ〜０．５ｍｍであると好ましい。
【発明の効果】
【００１２】
本発明によれば、現場での設置作業が容易で、且つ、廃材の処理を不要とする嵩上げ枠を提供することが可能となる。
【発明を実施するための最良の形態】
【００１３】
以下、添付図面を参照して本発明の実施形態について説明する。なお、図面の説明において同一の要素には同一の符号を付し、重複する説明を省略する。
【００１４】
図１は、本実施形態に係る嵩上げ枠を備えた浄化槽装置１０の構成を示す正面図である。図１に示すように、浄化槽装置１０は、浄化槽１２と、マンホール蓋１４と、浄化槽１２のマンホールの嵩上げ枠１６と、を備えている。
【００１５】
浄化槽１２はプラスチック製であり、その両側壁には汚水を流入させる流入口１８と、処理水を流出させる流出口２０とが設けられている。浄化槽１２の内部は、図示しないが、上流側から嫌気ろ床槽、接触曝気槽、沈殿槽、消毒槽等に区分けされている。
【００１６】
浄化槽１０の上壁には、内部の点検、清掃等のためのマンホール２２が設けられている。このマンホール２２が設けられる箇所には、口を絞るようにして立ち上がり部２４が設けられている。
【００１７】
マンホール蓋１４は、浄化槽１２のマンホール２２を塞ぐ。このマンホール蓋１４は、外部から開閉できるように、地表面２６と同じ高さで設置される。しかし、浄化槽１２は地中に埋められて設置されており、マンホール２２とマンホール蓋１４を設置する地表面２６との高さが異なっている。そこで、マンホール２２とマンホール蓋１４との間に嵩上げ枠１６が設けられている。マンホール蓋１４は、この嵩上げ枠１６の上端部開口に載置される。
【００１８】
以下、図２から図８を参照して本実施形態の嵩上げ枠１６について説明する。図２は、本実施形態に係る嵩上げ枠の構成を示す斜視図であり、図３はこの嵩上げ枠が完全に伸長した状態を示す正面図である。また図４は、図３のＩＶ−ＩＶ線断面図であり、図５は、図４のＶ−Ｖ線で示す部位の拡大図である。
【００１９】
図２及び図３に示すように、嵩上げ枠１６は、山部を構成する一対の環状壁部当たりの伸長時の高さが異なる第１及び第２の蛇腹部３０，３２を備えている。すなわち、第１の蛇腹部３０の山部頂点における内径は、第２の蛇腹部３２の山部頂点における内径よりも小さく、これにより、第１及び第２の蛇腹部３０，３２それぞれは、山部を構成する一対の環状壁部当たりの伸長時の高さが異なっている。
【００２０】
第１及び第２の蛇腹部３０，３２は、複数の山部を有し、これら山部は上下一対の環状壁部を含んでいる。上部環状壁部（一方の環状壁部）３０ａ，３２ａは、縮長時に下部環状壁部（他方の環状壁部）３０ｂ，３２ｂに沿って折り畳まれる（折り畳まれた状態は図６から図８参照）。
【００２１】
山部の頂点には、図３から図５に示すように、下部環状壁部３０ｂ，３２ｂの縁部を外方に屈曲し弧状に折り返して、上部環状壁部３０ａ，３２ａと連続させてなる突起３４，３６が設けられている。
【００２２】
上部環状壁部３０ａ，３２ａ及び下部環状壁部３０ｂ，３２ｂは、図５に示すように、伸長時において互いに異なる曲率半径で湾曲しており、上部環状壁部３０ａ，３２ａの曲率半径Ｒ３０ａ，Ｒ３２ａは、下部環状壁部３０ｂ，３２ｂの曲率半径Ｒ３０ｂ，Ｒ３２ｂよりも小さい。
【００２３】
また、嵩上げ枠１６の端部開口４０を含む面を基準面としたとき、下部環状壁部３０ｂ，３２ｂの基準面に対する傾斜角θｂは、上部環状壁部３０ａ，３２ａの基準面に対する傾斜角θａよりも大きい。なお、傾斜角を比較するときには、鋭角同士を比較するものとする。例えば、傾斜角θａは２０〜４０度であり、傾斜角θｂは３５〜５５度である。
【００２４】
また、突起３４，３６に連続する部位における上部環状壁部３０ａ，３２ａの厚さＴ２，Ｓ２は、図５に示すように、他の部位における上部環状壁部３０ａ，３２ａの厚さＴ１，Ｓ１よりも薄い。なお、一実施例として、最大厚さを１．８ｍｍとし、最小厚さを０．３ｍｍとすることができる。
【００２５】
なお、この嵩上げ枠１６はポリエチレン等から形成されており、その平均厚さが２ｍｍ〜０．５ｍｍである。
【００２６】
次に、本実施形態に係る嵩上げ枠１６の作用及び効果について説明する。
【００２７】
図６から図８は、嵩上げ枠１６の第２の蛇腹部３２の山部の一部を縮長させた状態を示しており、図６は正面図、図７は図６のＶＩＩ−ＶＩＩ線断面図、図８は図７のＶＩＩＩ−ＶＩＩＩ線で示す部位の拡大図である。
【００２８】
本実施形態に係る嵩上げ枠１６は、図２から図５に示すように、完全に伸長させることもできるし、図６から図８に示すように、山部の少なくとも一部を縮長させることもできる。ここで本実施形態に係る嵩上げ枠１６では、山部の頂点に、下部環状壁部３０ｂ，３２ｂの縁部を外方に屈曲し折り返して上部環状壁部３０ａ，３２ａと連続させてなる突起３４，３６が設けられており、この突起３４，３６が伸縮機能の逃げ代として機能する。従って、図８に示すように、縮長時おいて上部環状壁部３０ａ，３２ａが伸長時とは逆方向に反り返り、下部環状壁部３０ｂ，３２ｂに沿って折り畳まれたとき、上部環状壁部３０ａ，３２ａにより突起３４，３６が引っ張られて伸びることで、上部環状壁部３０ａ，３２ａが折り畳まれた状態で強固に形状保持される。その結果、マンホール２２とマンホール蓋１４との間隔に合わせて、このように縮長させる山部の数と伸長させる山部の数とを調整することにより、高さを容易に調整可能であるため、現場での設置作業が容易になり、且つ、廃材の処理も不要となる。
【００２９】
特に、本実施形態に係る嵩上げ枠１６は、山部を構成する一対の環状壁部当たりの伸長時の高さが異なる第１及び第２の蛇腹部３０，３２を備えているため、高さ調整の自由度が増し、現場での設置作業が一層容易になる。
【００３０】
また上部環状壁部３０ａ，３２ａ及び下部環状壁部３０ｂ，３２ｂは、伸長時において互いに異なる曲率半径で湾曲しており、上部環状壁部３０ａ，３２ａの曲率半径は、下部環状壁部３０ｂ，３２ｂの曲率半径よりも小さいため、縮長時において、突起３４，３６の伸びにより曲率半径の大きい下部環状壁部３０ｂ，３２ｂに、反り返った曲率半径の小さい上部環状壁部３０ａ，３２ａが沿って長さ合わせがされることで、強固な形状保持を容易に実現できる。
【００３１】
また、嵩上げ枠１６の端部開口４０を含む面を基準面としたとき、下部環状壁部３０ｂ，３２ｂの基準面に対する傾斜角は、上部環状壁部３０ａ，３２ａの基準面に対する傾斜角よりも大きいため、上部環状壁部３０ａ，３２ａの折り畳み及び張り戻しが容易になる。
【００３２】
また、突起３４，３６に連続する部位における上部環状壁部３０ａ，３２ａの厚さは、他の部位における上部環状壁部３０ａ，３２ａの厚さよりも薄いため、上部環状壁部３０ａ，３２ａの折り畳み及び張り戻しが容易になる。
【００３３】
また、嵩上げ枠１６は、ポリエチレン製であって、その平均厚さが２ｍｍ〜０．５ｍｍであるため、十分な剛性を有し、伸長時においても強固な形状保持を実現することができる。このような厚肉の場合において、突起３４，３６を設けた嵩上げ枠１６が特に有効である。
【００３４】
また、上記したように本実施形態の嵩上げ枠１６では、山部を縮長させた状態で強固に形状保持することが可能であるため、完全に縮長させることでコンパクト化を図ることができ、保管・運搬等に際して場所を取らない。
【００３５】
なお、本発明は上記した実施形態に限定されることなく、種々の変形が可能である。例えば、山部を構成する一対の環状壁部当たりの伸長時の高さが異なる３以上の蛇腹部を設けてもよい。また、外形が略円筒状の嵩上げ枠だけでなく、その外形は略角筒状など他の形状であってもよい。
【図面の簡単な説明】
【００３６】
【図１】実施形態に係る嵩上げ枠を備えた浄化槽装置の構成を示す正面図である。
【図２】本実施形態に係る嵩上げ枠の構成を示す斜視図である。
【図３】嵩上げ枠が完全に伸長した状態を示す正面図である。
【図４】図３のＩＶ−ＩＶ線断面図である。
【図５】図４のＶ−Ｖ線で示す部位の拡大図である。
【図６】嵩上げ枠の第２の蛇腹部の山部の一部を縮長させた状態を示す正面図である。
【図７】図６のＶＩＩ−ＶＩＩ線断面図である。
【図８】図７のＶＩＩＩ−ＶＩＩＩ線で示す部位の拡大図である。
【符号の説明】
【００３７】
１０…浄化槽装置、１２…浄化槽、１４…マンホール蓋、１６…嵩上げ枠、２２…マンホール、３０…第１の蛇腹部、３２…第２の蛇腹部、３０ａ，３２ａ…上部環状壁部、３０ｂ，３２ｂ…下部環状壁部、３４，３６…突起、４０…端部開口。
【図１】
2007030923.tif 000003
【図２】
2007030923.tif 000004
【図３】
2007030923.tif 000005
【図４】
2007030923.tif 000006
【図５】
2007030923.tif 000007
【図６】
2007030923.tif 000008
【図７】
2007030923.tif 000009
【図８】
2007030923.tif 000010